(57)【要約】      （修正有）【課題】基台や円筒部のような主要部品同士を磁石によって容易に組み上げることができる磁石組立式行灯を提供する。【解決手段】磁石組立式行灯Ａは、灯火部２を備えた基台部と、基台部の上面に開口部４を上下として取り付けられる円筒部３と、を備えた行灯であって、基台部は、灯火部を基台部の略中央部に立設すると共に、上面には少なくとも２つの基台側磁石６を離間して埋設し、円筒部は、円筒状の光透過部７と、光透過部の開口する両端部を被覆する上冠部８と下冠部９とを有し、下冠部の内側壁には基台部に円筒部を載置した際に各基台側磁石と符号する位置に下冠側磁石１１を配設したことを特徴とする。【選択図】図２
0003200017.tif 000002
【実用新案登録請求の範囲】
【請求項１】
灯火部を備えた基台部と、基台部の上面に開口部を上下として取り付けられる円筒部と、を備えた行灯であって、
前記基台部は、前記灯火部を前記基台部の略中央部に立設すると共に、上面には少なくとも２つの基台側磁石を離間して埋設し、
前記円筒部は、円筒状の光透過部と、前記光透過部の開口する両端部を被覆する上冠部と下冠部とを有し、前記下冠部の内側壁には前記基台部に前記円筒部を載置した際に各前記基台側磁石と符号する位置に下冠側磁石を配設したことを特徴とする磁石組立式行灯。
【請求項２】
前記円筒部の前記上冠部には、両端部に飾把持側磁石を埋設した湾曲した矩形棒状の飾把持部を配設し、前記上冠部の内側壁には前記飾把持部を載置した際に各前記飾把持側磁石と符号する位置に上冠側磁石を配設したことを特徴とする請求項１に記載の磁石組立式行灯。
【請求項３】
前記基台部に対して前記円筒部を上下逆に載置しても所定の行灯を構成するように、前記上冠部の内側壁にも前記下冠側磁石と同様の位置関係で前記上冠側磁石を配設したことを特徴とする請求項１または請求項２に記載の磁石組立式行灯。
【請求項４】
前記基台側磁石は全ての前記基台側磁石が同一極性とならないように配設し、前記下冠側磁石は各々符号する前記基台側磁石と逆極性となるように配設したことを特徴とする請求項１乃至３のいずれか１項に記載の磁石組立式行灯。
【請求項５】
前記円筒部の内部には前記円筒部の曲率に近似した断面視略半円弧状の反射板を有し、前記反射板の一端部には前記下冠側磁石と符号する位置に反射板側磁石を配設した下フランジ部を形成したことを特徴とする請求項１乃至４のいずれか１項に記載の磁石組立式行灯。
【請求項６】
前記円筒部の内部には前記円筒部の曲率に近似した断面視略半円弧状の反射板を有し、前記反射板の両端部には前記上・下冠側磁石と符号する位置に反射板側磁石を配設した上・下フランジ部を形成したことを特徴とする請求項２乃至４のいずれか１項に記載の磁石組立式行灯。
【考案の詳細な説明】
【技術分野】
【０００１】
本考案は、主要な構成部品同士を磁石による連結により組み上げることができる磁石組立式行灯に関するものである。
【背景技術】
【０００２】
従来より、灯火部を有する基台と基台上に位置する絵柄が付された円筒部とを備えた行灯は床面に載置して使用され、光を透過する円筒部の内部から発する光が適度な強さで外部に放射されるように構成されている。このような行灯は、特にお盆の時期に使用されるため、普段は収納に有利なように基台と円筒部とを分離して保管されるのが一般的である。
【０００３】
また、床面に載置して使用される行灯には、古くから使用されてきた手持ち型行灯の把持部の名残として円筒部の上部に飾用の飾把持部を備えた行灯もある。
【０００４】
このような載置型の行灯は、円筒部を基台上に載置し、飾把持部を円筒部の上部に載置しただけでは行灯に人が接触したり等の若干の負荷が加わっただけで基台上から円筒部が傾倒したり飾把持部が落下してしまうため、複数のネジ等を用いて基台や円筒部と固定され、結果として基台や円筒部や飾把持部を分離したり組立てたりする作業が非常に煩雑であった。
【０００５】
そこで、基台上と円筒部の底部に互いに嵌合する複数の嵌合部を形成して基台への円筒部の着脱を容易にした行灯形照明器具が開示されている（例えば、特許文献１参照）。
【先行技術文献】
【特許文献】
【０００６】
【特許文献１】特開２００８−２７７２３０号公報
【考案の概要】
【考案が解決しようとする課題】
【０００７】
確かに、特許文献１に係る行灯形照明器具は、ネジ等を用いることなく基台と円筒部を着脱することができるため、組立や分解が容易に行える点で一定の効果を奏していた。
【０００８】
しかしながら、該照明器具は載置場所を頻繁に移動させることを前提としているため基台と円筒部とが強固に一体となるように構成されており、嵌合部の構造が複雑で円筒部に付された絵柄の位置合わせも容易とは言えなかった。
【０００９】
この考案は、基台や円筒部のような主要部品同士を磁石による連結により容易に組み上げることができる磁石組立式行灯を提供することにある。
【課題を解決するための手段】
【００１０】
以上のような目的を達成するために、本考案は以下のようなものを提供する。
【００１１】
請求項１に係る考案では、灯火部を備えた基台部と、基台部の上面に開口部を上下として取り付けられる円筒部と、を備えた行灯であって、前記基台部は、前記灯火部を前記基台部の略中央部に立設すると共に、上面には少なくとも２つの基台側磁石を離間して埋設し、前記円筒部は、円筒状の光透過部と、前記光透過部の開口する両端部を被覆する上冠部と下冠部とを有し、前記下冠部の内側壁には前記基台部に前記円筒部を載置した際に各前記基台側磁石と符号する位置に下冠側磁石を配設したことを特徴とする磁石組立式行灯を提供せんとする。
【００１２】
請求項２に係る考案では、前記円筒部の前記上冠部には、両端部に飾把持側磁石を埋設した湾曲した矩形棒状の飾把持部を配設し、前記上冠部の内側壁には前記飾把持部を載置した際に各前記飾把持側磁石と符号する位置に上冠側磁石を配設したことを特徴とする請求項１に記載の磁石組立式行灯を提供せんとする。
【００１３】
請求項３に係る考案では、前記基台部に対して前記円筒部を上下逆に載置しても所定の行灯を構成するように、前記上冠部の内側壁にも前記下冠側磁石と同様の位置関係で前記上冠側磁石を配設したことを特徴とする請求項１または請求項２に記載の磁石組立式行灯を提供せんとする。
【００１４】
請求項４に係る考案では、前記基台側磁石は全ての前記基台側磁石が同一極性とならないように配設し、前記下冠側磁石は各々符号する前記基台側磁石と逆極性となるように配設したことを特徴とする請求項１乃至３のいずれか１項に記載の磁石組立式行灯を提供せんとする。
【００１５】
請求項５に係る考案では、前記円筒部の内部には前記円筒部の曲率に近似した断面視略半円弧状の反射板を有し、前記反射板の一端部には前記下冠側磁石と符号する位置に反射板側磁石を配設した下フランジ部を形成したことを特徴とする請求項１乃至４のいずれか１項に記載の磁石組立式行灯を提供せんとする。
【００１６】
請求項６に係る考案では、前記円筒部の内部には前記円筒部の曲率に近似した断面視略半円弧状の反射板を有し、前記反射板の両端部には前記上・下冠側磁石と符号する位置に反射板側磁石を配設した上・下フランジ部を形成したことを特徴とする請求項２乃至４のいずれか１項に記載の磁石組立式行灯を提供せんとする。
【考案の効果】
【００１７】
請求項１記載の考案によれば、灯火部を備えた基台部と、基台部の上面に開口部を上下として取り付けられる円筒部と、を備えた行灯であって、基台部は、灯火部を基台部の略中央部に立設すると共に、上面には少なくとも２つの基台側磁石を離間して埋設し、円筒部は、円筒状の光透過部と、光透過部の開口する両端部を被覆する上冠部と下冠部とを有し、下冠部の内側壁には基台部に円筒部を載置した際に各基台側磁石と符号する位置に下冠側磁石を配設したことにより、基台部の基台側磁石に円筒部の下冠側磁石を近接して符号させるだけで磁石の吸着力により基台上に円筒部を極めて容易に略接続することができ、しかも、分解時には円筒部を筒軸回りに回動させながら上方に引き上げることで磁石の吸着を弱めながら極めて容易に円筒部を基台から分離することができる。
【００１８】
請求項２記載の考案によれば、円筒部の上冠部には、両端部に飾把持側磁石を埋設した湾曲した矩形棒状の飾把持部を配設し、上冠部の内側壁には飾把持部を載置した際に各飾把持側磁石と符号する位置に上冠側磁石を配設したことにより、円筒部の上冠側磁石に飾把持部の飾把持側磁石を近接して符号させるだけで磁石の吸着力により上冠部上に飾把持部を極めて容易に略接続することができ、しかも、分解時には飾把持部を上冠部上で適当に移動させながら上方に引き上げることで磁石の吸着を弱めながら極めて容易に飾把持部を上冠部から分離することができる。
【００１９】
請求項３記載の考案によれば、基台部に対して円筒部を上下逆に載置しても所定の行灯を構成するように、上冠部の内側壁にも下冠側磁石と同様の位置関係で上冠側磁石を配設したことにより、円筒部の上下を気にすることなく行灯を組立てることができる。
【００２０】
請求項４記載の考案によれば、基台側磁石は全ての基台側磁石が同一極性とならないように配設し、下冠側磁石は各々符号する基台側磁石と逆極性となるように配設したことにより、基台に対する円筒部の周面位置が常に同じ位置となるように容易に組立てることができるので、意識することなく円筒部に付した絵柄が常に好適な位置を向くように組立てることができる。
【００２１】
請求項５記載の考案によれば、円筒部の内部には円筒部の曲率に近似した断面視略半円弧状の反射板を有し、反射板の一端部には下冠側磁石と符号する位置に反射板側磁石を配設した下フランジ部を形成したことにより、円筒部の下冠側磁石に反射板の反射板側磁石を近接して符号させるだけで磁石の吸着力により円筒部内に極めて容易に反射板を略接続でき、反射板による光の反射作用により円筒部の後方側に発する光を前方側に集中して発することができる。
【００２２】
請求項６記載の考案によれば、円筒部の内部には円筒部の曲率に近似した断面視略半円弧状の反射板を有し、反射板の両端部には上・下冠側磁石と符号する位置に反射板側磁石を配設した上・下フランジ部を形成したことにより、円筒部の上下冠側磁石に反射板の反射板側磁石を近接して符号させるだけで磁石の吸着力により円筒部内に極めて容易に、しかも強固に反射板を略接続でき、反射板による光の反射作用により円筒部の後方側に発する光を前方側に集中して発することができる。
【図面の簡単な説明】
【００２３】
【図１】本考案の実施形態に係る磁石組立式行灯の斜視図である。
【図２】同磁石組立式行灯の分解斜視図である。
【図３】同磁石組立式行灯の下部側を示す説明図である。
【図４】同磁石組立式行灯を正面から見た部分透視正面図である。
【図５】図４の磁石組立式行灯の断面図である。
【図６】図５の断面図の中途部を省略した部分断面拡大図である。
【図７】同磁石組立式行灯の円筒部の分解斜視図である。
【図８】図４のＡ−Ａ線部分断面図である。
【図９】同磁石組立式行灯の飾把持部の分解斜視図である。
【図１０】（ａ）〜（ｄ）は同磁石組立式行灯の磁石の配置極性の例を示す説明図である。
【図１１】（ａ）は下フランジ部を備えた反射板で、（ｂ）は上・下フランジ部を備えた反射板で、（ｃ）は（ｂ）の反射板を円筒部内に装着した説明図である。
【図１２】（ａ）は下フランジ部を備えた反射板を装着した行灯の断面図で、（ｂ）は上・下フランジ部を備えた反射板を装着した行灯の断面図である。
【図１３】反射板を装着した同磁石組立式行灯の光具合を模式的に示した斜視図である。
【考案を実施するための形態】
【００２４】
本考案に係る磁石組立式行灯の要旨は、灯火部を備えた基台部と、基台部の上面に開口部を上下として取り付けられる円筒部と、を備えた行灯であって、基台部は、灯火部を基台部の略中央部に立設すると共に、上面には少なくとも２つの基台側磁石を離間して埋設し、円筒部は、円筒状の光透過部と、光透過部の開口する両端部を被覆する上冠部と下冠部とを有し、下冠部の内側壁には基台部に円筒部を載置した際に各基台側磁石と符号する位置に下冠側磁石を配設したことを特徴とする。すなわち、基台や円筒部のような主要部品同士を磁石による連結により容易に組み上げることができる磁石組立式行灯の提供を図ろうとするものである。
【００２５】
以下、本考案に係る磁石組立式行灯の実施形態について図面を参照しながら説明する。また、本説明中において左右同一又は左右対称の構造や部品については、原則として同一の符号を付し、左右何れか一方のみを説明して、他方については説明を適宜省略する。
【００２６】
[第一実施形態]
本第一実施形態に係る磁石組立式行灯Ａは、図１、図２に示すように、灯火部２を備えた基台部１と、基台部１の上面に開口部４，４を上下として取り付けられる円筒部３と、を備えた行灯Ａであって、基台部１は、灯火部２を基台部１の略中央部に立設すると共に、上面５には少なくとも２つの基台側磁石６，６を離間して埋設し、円筒部３は、円筒状の光透過部７と、光透過部７の開口する両端部の端縁部と開口の一部を被覆する上冠部８と下冠部９とを有し、下冠部９の内側壁１０には基台部１に円筒部３を載置した際に各基台側磁石６，６と符号する位置に下冠側磁石１１，１１を配設している。
【００２７】
このように、本実施形態に係る磁石組立式行灯Ａは、灯火部２により発光させた光が円筒部３の光透過部７を介して外部に放射される行灯Ａであり、基台部１に円筒部３を載置させるだけで磁石の吸着力により互いを略接続することができるものである。
【００２８】
また、本実施形態では、円筒部３の上冠部８に、両端部に飾把持側磁石１３，１３を埋設した湾曲した矩形棒状の飾把持部１２を配設し、上冠部８の内側壁１４には飾把持部１２を載置した際に各飾把持側磁石１３，１３と符号する位置に接着剤を用いて上冠側磁石１５，１５を接着している。
【００２９】
すなわち、円筒部３の上部に飾把持部１２を形成したものであり、円筒部３の上部に飾把持部１２を載置させるだけで磁石の吸着力により互いを略接続することができるものである。
【００３０】
以下、本第一実施形態に係る磁石組立式行灯Ａについて図面を用いて具体的に詳述する。
【００３１】
基台部１は、図３〜図６に示すように、主要構成部品として、円盤状の円筒部用基台２０と、円筒部用基台２０と同心円で円筒部用基台２０よりも小径で円盤状のランプ支柱基台３３と、脚部３０と、灯火部２とで構成している。なお、基台部１は、行灯においては一般的に盆と呼ばれる部位である。
【００３２】
円筒部用基台２０は、表面に突板を貼着した繊維材であるＭＤＦ（Ｍｅｄｉｕｍ  Ｄｅｎｓｉｔｙ  Ｆｉｂｅｒｂｏａｒｄ）で形成しており、中央部に上下に貫通する下ボルト挿貫孔２１を穿設し、後述するランプ支柱基台３３に穿設した上ボルト挿貫孔３４と上下方向で連通連設すると共にランプ支柱４５の下端部に形成された固定ボルト３７を挿貫自在としている。
【００３３】
また、円筒部用基台２０の上面５には下ボルト挿貫孔２１を介して対峙する位置に有底の磁石用孔２２を設け略ドーナツ状の基台側磁石６，６を埋設している。磁石用孔２２は、基台側磁石６と略同径の凹状に形成し、基台側磁石６の上面が円筒部用基台２０の上面５よりも突出しない程度の略面一となるような深さに形成している。なお、基台側磁石６は、灯火部２を構成するランプ支柱基台３３と干渉しない位置に形成している。
【００３４】
また、基台側磁石６は中央部にネジ挿貫孔２３ａを形成すると共に、ネジ挿貫孔２３ａの上部側に向けて拡開したテーパ２４ａを形成し、上方からネジ挿貫孔２３ａに皿ネジ２５ａを挿貫して磁石用孔２２の底部に螺入させることで基台側磁石６を円筒部用基台２０に固定している。なお、本実施形態に係る基台側磁石６は直径２０ｍｍで厚さ４ｍｍのネオジウム磁石を用いている。
【００３５】
また、円筒部用基台２０には、対峙する２つの基台側磁石６，６の中心を通る軸線の中央に位置する下ボルト挿貫孔２１の中心から該軸線と直交する軸線上に図示しない貫通した下配線挿通孔を穿設し、ランプ支柱基台３３に穿設した上配線挿通孔４０と上下方向で連通連設するように形成している。本実施形態では、この下配線挿通孔が形成された側を磁石組立式行灯Ａの後面Ｒとしている。
【００３６】
また、円筒部用基台２０の上面５には、下ボルト挿貫孔２１を介して下配線挿通孔と対峙する方向に三角形状の方向指示マーカー２６ａを形成している。方向指示マーカー２６ａは、円筒部用基台２０の上面５に円筒部３を載置した際、外部からは視認できない位置に形成している。更に、円筒部の下底面にも同様の方向指示マーカー２６ｂを形成し、２つのマーカー２６ａ，２６ｂを同一方向に向けて符号させることで基台部１の前面に円筒部３の前面が位置するように、すなわち、磁石組立式行灯Ａの前面Ｆに円筒部３の前面が位置するように磁石組立式行灯Ａを組立てることができる。
【００３７】
また、円筒部用基台２０の下面２７には台形状の脚部３０を垂設している。具体的には台形状の短辺である下底部３１が下方となるようにして下ボルト挿貫孔２１と同心円上に位置するように３つの脚部３０，３０，３０を均等に離間して形成している。このように脚部３０を形成することで、磁石組立式行灯Ａを床面等に安定して載置させることができる。
【００３８】
ランプ支柱基台３３は、表面に突板を貼着したＭＤＦで形成しており、円筒部用基台２０の上面５において円筒部用基台２０と接着剤等で接着され、中心部において上下に貫通する上ボルト挿貫孔３４が下ボルト挿貫孔２１と連通連接するように穿設されている。また、上ボルト挿貫孔３４は上部側の孔径を下部側の孔径よりも大きく形成し座繰り孔３６とした２段の孔で、下部側には固定ボルト３７のボルト部３８が挿貫され、座繰り孔３６には固定ボルト３７に形成された円盤状のフランジ３９が挿貫され、フランジ３９が座繰り孔３６の底部に載置される。
【００３９】
また、ランプ支柱基台３３には、円筒部用基台２０に穿設した下配線挿通孔と上下方向で連通連設する貫通した上配線挿通孔４０を穿設している。
【００４０】
灯火部２は、ランプ４４と、ランプ支柱４５とで構成している。
【００４１】
ランプ４４は、上下に長い楕円状のガラス球の内部にフィラメントを配設し電気抵抗によりフィラメントを発光させる通常の電球であり、下部にはソケット部４６内で導通可能な口金を備えている。なお、ランプ４４は蛍光灯やＬＥＤ等、光源となるものであれば特に限定されるものではない。
【００４２】
ランプ支柱４５は、上下に伸延した上下開口の筒状部４７と、筒状部４７の上開口部を被覆するように筒状部４７内に嵌入されたソケット部４６と、筒状部４７の下開口部を被覆するように筒状部４７内に嵌入された固定ボルト３７と、一方の端部がソケット部４６と接続され他方の端部にコンセント５２が形成された配線部５０とで構成している。
【００４３】
筒状部４７は、樹脂製で管状に形成しており、行灯を構成した際に円筒部３の高さの２分の１よりも低い高さとなる長さで形成している。また、筒状部４７の中途部には、筒状部４７内の配線５１を外部に導出する配線導出孔４８を穿設している。
【００４４】
ソケット部４６は、ランプ４４の口金を螺入することで配線部５０により供給された電気をランプ４４に導く接点を備えた一般的なソケットである。ソケット部４６を備えることでランプ４４を交換自在としている。
【００４５】
固定ボルト３７は、上部に形成された円盤状のフランジ３９と下部に形成されたボルト部３８とで構成しており、ランプ支柱基台３３の上ボルト挿貫孔３４の下部側と円筒部用基台２０の下ボルト挿貫孔２１にボルト部３８を挿貫し、上ボルト挿貫孔３４の上部側の座繰り孔３６にはフランジ３９が座繰り孔３６の底部に載置されるように挿貫している。
【００４６】
また、下ボルト挿貫孔２１の下方から突出したボルト部３８にナット４９を螺着することで基台部１にランプ支柱４５を立設している。
【００４７】
配線部５０は、電源から取り出した電気をランプ４４に導く配線５１と、配線５１の中途部に配設されたスイッチ５３と、コンセント５２とで構成している。配線５１は、一方の端部が筒状部４７の内部でソケット部４６と接続され、筒状部４７に穿設された配線導出孔４８から外部に露出し、更に、連通するランプ支柱基台３３と円筒部用基台２０に穿設された上配線挿通孔４０と下配線挿通孔を通って円筒部用基台２０の下面２７から露出している。
【００４８】
また、円筒部用基台２０の下面２７から露出した配線５１の他方の端部にはコンセント５２を形成し、中途部にスイッチ５３を配設している。スイッチ５３は、コンセント５２を介して供給される電気のＯＮ・ＯＦＦを手動操作自在とするものである。すなわち、ランプ４４の点灯と消灯を操作して行灯としての操作性を良好なものとしている。
【００４９】
以上、説明したように灯火部２を備えた基台部１は構成されている。このような基台部１の上面に開口部４，４を上下とした円筒部３が装着される。
【００５０】
円筒部３は、図２、図７、図８に示すように、円筒状の光透過部７と、光透過部７の開口する両端部の端縁部と開口の一部を被覆する上冠部８と下冠部９とを有し、下冠部９の内側壁１０には基台部１に円筒部３を載置した際に各基台側磁石６，６と符号する位置に下冠側磁石１１，１１を配設している。また、本実施形態に係る下冠側磁石１１は直径２０ｍｍで厚さ２ｍｍのネオジウム磁石を用いている。なお、上・下冠部８，９は、行灯においては一般的に加輪と呼ばれる部位である。
【００５１】
光透過部７は、長尺の円筒状に形成した絵柄筒体６０と、絵柄筒体６０と略同長さで絵柄筒体６０の外径よりも若干だけ大きい外径で形成された光緩和筒体６６とで構成している。すなわち、絵柄筒体６０は光緩和筒体６６の内部に同心円状にして内包される。
【００５２】
絵柄筒体６０は、ポリ塩化ビニル（ｐｏｌｙｖｉｎｙｌ  ｃｈｌｏｒｉｄｅ）製でシート状の透明フィルムを筒状とした透明筒体６１と、透明筒体６１の外表面の略全範囲を被覆するように当接させて巻着したシート状の絵柄紙６２とで構成している。なお、透明筒体６１の材質は特に限定されるものではない。
【００５３】
光緩和筒体６６は、小径で細丸棒状の樹脂製の部材を円環状に形成した筒形成環６７を均等間隔で複数連ね円筒状とし、絹からなるシート状の火袋６８を筒形成環６７に巻着して接着し外観視蛇腹状となるように一体に形成している。なお、火袋６８の材質は和紙であってもよく、特に限定されるものではない。
【００５４】
また、絵柄筒体６０と光緩和筒体６６の両端縁には、上冠部８と下冠部９との接続のための取付孔７０ａ，７０ｂを各４つ穿設し、該孔７０ａ，７０ｂは円周方向において等間隔離間した位置に形成している。
【００５５】
上冠部８と下冠部９は、中央部に円形の開口部４が形成された蓋部７２ａ，７２ｂと、蓋部７２ａ，７２ｂの周縁端から垂直に立設した環状の外縁部７３ａ，７３ｂとで構成している。蓋部７２ａ，７２ｂの直径は光透過部７の外壁をなす光緩和筒体６６の外径よりも若干だけ大きく形成され、光透過部７の両端開口部に上冠部８と下冠部９とが嵌合して円筒部３を構成する。
【００５６】
なお、本実施形態においては、上・下冠部８，９は、表面に意匠性の優れた突板を用いた合板で形成しており、蓋部７２ａ，７２ｂの板厚を略５ｍｍ、外縁部７３ａ，７３ｂの板厚を略２ｍｍとして形成している。特に、蓋部７２ａ，７２ｂの板厚は、２つの磁石で挟持しても充分な吸着力を有する板厚としている。
【００５７】
また、蓋部７２ａ，７２ｂに形成された開口部４，４の内径は、ランプ支柱基台３３の外径よりも若干だけ余裕を持った内径とし、基台部１に円筒部３を装着するに際してランプ支柱基台３３の外周面に下冠部９または上冠部８を外嵌することでランプ支柱基台３３に外力が付与されても円筒部３が容易に傾倒しないように形成している。
【００５８】
なお、基台部１に円筒部３を装着するに際しては、蓋部７２ａ，７２ｂに形成された開口部４からランプ４４を備えたランプ支柱４５を挿通することができる。
【００５９】
また、外縁部７３ａ，７３ｂには絵柄筒体６０と光緩和筒体６６に形成された複数の取付孔７０ａ，７０ｂと符号する位置に冠取付孔７４ａ，７４ｂを穿設し、取付金具７５により光透過部７に上冠部８と下冠部９とを一体に固定している。
【００６０】
具体的には、取付金具７５は図８に示すように、基部頭７６から近接・離反自在に分岐する２本の挿通ピン７７，７７を有した割ピン形状に形成されており、連通状態とした絵柄筒体６０と光緩和筒体６６の取付孔７０ａ，７０ｂと上・下冠部８，９の冠取付孔７４ａ，７４ｂとに近接状態に棒状とした挿通ピン７７，７７を外方から挿貫し、絵柄筒体６０の透明筒体６１の内部に突出した挿通ピン７７，７７を透明筒体６１の内壁に沿って水平方向に略１８０°離反させるように開くことで取付金具７５を固定している。
【００６１】
また、下冠部９の蓋部７２ｂの内側壁１０には基台部１に円筒部３を載置した際に各基台側磁石６，６と符号する位置に接着剤を用いて下冠側磁石１１，１１を接着している。
【００６２】
このように構成することで、基台部１の基台側磁石６，６に円筒部３の下冠側磁石１１，１１を近接して符号させるだけで蓋部７２ｂを介した磁石の吸着力により基台部１上に円筒部３を極めて容易に略接続することができ、しかも、分解時には円筒部３を筒軸回りに回動させながら上方に引き上げることで磁石の吸着力を弱めながら極めて容易に円筒部３を基台部１から分離することができる。
【００６３】
また、本実施形態では、図１、図２、図７、図９に示すように、円筒部３の上冠部８には、両端部に飾把持側磁石１３，１３を埋設した下面が下方に湾曲した矩形棒状の飾把持部１２を配設し、上冠部８の内側壁１４には飾把持部１２を載置した際に各飾把持側磁石１３，１３と符号する位置に接着剤を用いて上冠側磁石１５，１５を接着している。なお、本実施形態に係る上冠側磁石１５は直径２０ｍｍで厚さ２ｍｍのネオジウム磁石を用いている。
【００６４】
具体的には、飾把持側磁石１３を埋設する飾把持側磁石用孔１６は、ドーナツ状の飾把持側磁石１３と略同径で凹状に形成し、飾把持側磁石１３の上面が飾把持部１２の下面よりも突出しない程度の略面一となるような深さに形成している。
【００６５】
また、飾把持側磁石１３は、中央部にネジ挿貫孔２３ｂを形成すると共に、ネジ挿貫孔２３ｂの上部側に向けて拡開したテーパ２４ｂを形成し、上方からネジ挿貫孔２３ｂに皿ネジ２５ｂを挿貫して飾把持側磁石用孔１６の底部に螺入させることで飾把持側磁石１３を飾把持部１２に固定している。なお、本実施形態に係る飾把持側磁石１３は直径１０ｍｍで厚さ３ｍｍのネオジウム磁石を用いている。
【００６６】
このように構成することで、円筒部３の上冠側磁石１５，１５に飾把持部１２の飾把持側磁石１３，１３を近接して符号させるだけで蓋部７２ａを介して磁石の吸着力により上冠部８上に飾把持部１２を極めて容易に略接続することができ、しかも、分解時には飾把持部１２を上冠部８上で適当に移動させながら上方に引き上げることで磁石の吸着力を弱めながら極めて容易に飾把持部１２を上冠部８から分離することができる。
【００６７】
また、本実施形態では、基台部１に対して円筒部３を上下逆に載置しても所定の行灯を構成するように、上冠側磁石１５は上冠部８の内側壁１４において下冠側磁石１１と同様の位置関係で配設している。
【００６８】
すなわち、飾把持部１２に埋設された２つの飾把持側磁石１３，１３の中心間の直線距離と、上冠部８の内側壁１４に接着された２つの上冠側磁石１５，１５の中心間の直線距離と、下冠部９の内側壁１０に接着された２つの下冠側磁石１１，１１の中心間の直線距離と、基台部１に埋設された２つの基台側磁石６，６の中心間の直線距離とが全て等しくなるように形成している。
【００６９】
このように構成することで、円筒部３の上下を気にすることなく行灯を組立てることができる。特に、絵柄紙６２に描かれた絵柄が上下の意味合いを有さない絵柄であれば、円筒部３の上下を気にすることなく極めて容易に行灯を組み立てることができる。
【００７０】
また、本実施形態では、基台側磁石６は全ての基台側磁石６，６が同一極性とならないように配設し、下冠側磁石１１，１１は各々符号する基台側磁石６，６と逆極性となるように配設している。
【００７１】
すなわち、図１０（ｃ）、（ｄ）に示すように、２つの基台側磁石６，６の一方をＮ極を上方として配設し、他方をＳ極を上方として配設した場合、下冠側磁石１１，１１の一方をＳ極を上方として配設し、他方をＮ極を上方として配設すれば、互いの磁石が吸着する円筒部３の位置は必ず一方向に限定される。
【００７２】
このように構成することで、基台部１に対する円筒部３の周面位置が常に同じ位置となるように容易に組立てることができるので、意識することなく円筒部３に付した絵柄が常に好適な位置を向くように組立てることができる。
【００７３】
また、図（ｃ）では、上冠側磁石１５，１５の両方を同じ極性として配設することで円筒部３を上下逆に配設できなくしているため、絵柄紙６２の絵柄が上下の方向性有する場合にはこのような構成とすることが望ましい。
【００７４】
また、図（ｄ）では、上冠側磁石１５，１５の極性を下冠側磁石１１，１１と同様とすることで円筒部３を上下逆に配設可能としているため、絵柄紙６２の絵柄が上下の方向性を有さない場合にはこのような構成とすることが望ましい。
【００７５】
なお、磁石により円筒部３に付した絵柄の前後面が常に好適な位置を向くようにすることを特に考慮しない場合には、例えば、図１０（ａ）、（ｂ）に示すような極性で各々の磁石を配設すればよい。
【００７６】
図１０（ａ）では、円筒部３を上下逆に配設可能であり、しかも、円筒部３の前後を任意に決定することができ、図１０（ｂ）では、円筒部３を上下逆に配設することはできないが、円筒部３の前後を任意に決定することができる。
【００７７】
[第二実施形態]
次に、本考案に係る磁石組立式行灯の第二実施形態について図面を参照しながら説明する。なお、第一実施形態に係る磁石組立式行灯Ａと同一の構成については同一の符号を用いて説明を適宜省略する。
【００７８】
本第二実施形態に係る磁石組立式行灯Ｂは、図１１、図１２に示すように、円筒部３の内部に円筒部３の曲率に近似した断面視略半円弧状の反射板８１を有し、反射板８１の一端部には下冠側磁石１１，１１と符号する位置に反射板側磁石８３ｂ，８３ｂを配設した下フランジ部８２を形成している。
【００７９】
具体的には、図１１（ａ）、図１２（ａ）に示すように、円筒部３を構成する絵柄筒体６０の内部に、円筒部３の長さに近似した断面視略半円弧状で可撓性を有する反射板８１を配設し、反射板８１は、光透過部７から全方向に放射される光のうち後方に放射されるランプ４４の光を前方に集中させて光透過部７を発光させるものであり、反射板８１を固定するために下フランジ部８２を形成している。
【００８０】
下フランジ部８２は、反射板８１の下端部から縁部に沿って水平方向内側に所定幅湾曲帯状に伸延して反射板８１と一体に形成しており、下フランジ部８２の上面両端部に反射板側磁石８３ｂ，８３ｂを接着している。
【００８１】
また、下フランジ部８２は、反射板８１の曲率に応じた仮想円の中心に向かう径方向に合致した複数のスリット８４を形成している。スリット８４を形成することで下フランジ部８２と共に反射板８１を巻着して全体を小径とした状態で下冠部９の開口部４から円筒部３の内部に挿入することができる。
【００８２】
このように構成することで、円筒部３の下冠側磁石１１，１１に反射板８１の反射板側磁石８３ｂ，８３ｂを下フランジ部８２を介して近接して符号させるだけで磁石の吸着力により円筒部３内に極めて容易に反射板８１を略接続でき、図１３に示すように、反射板８１による光の反射作用により円筒部３の後方Ｒに発する光を前方Ｆに集中して発することができる。
【００８３】
また、本実施形態に係る行灯では、図１１（ｂ）、（ｃ）、図１２（ｂ）に示すように、円筒部３の内部に円筒部３の曲率に近似した断面視略半円弧状の反射板８１を有し、反射板８１の両端部には上・下冠側磁石１１，１５と符号する位置に反射板側磁石８３ａ，８３ｂを配設した上・下フランジ部８２，８５を有する磁石組立式行灯Ｂ´とすることもできる。
【００８４】
このように構成することで、円筒部３の上・下冠側磁石１１，１５に反射板８１の反射板側磁石８３ａ，８３ｂを上・下フランジ部８２，８５を介して近接して符号させるだけで磁石の吸着力により円筒部３内に極めて容易に、しかも強固に反射板８１を略接続でき、反射板８１による光の反射作用により円筒部３の後方側Ｒに発する光を前方側Ｆに集中して発することができる。
【００８５】
以上、本考案の好ましい実施形態を説明したが、本考案は係る特定の実施形態に限定されるものではなく、実用新案登録請求の範囲に記載された本考案の要旨の範囲内において、種々の変形・変更が可能である。
【符号の説明】
【００８６】
Ａ  磁石組立式行灯（第一実施形態）
Ｂ  磁石組立式行灯（第二実施形態）
Ｂ´  磁石組立式行灯（第二実施形態）
１  基台部
２  灯火部
３  円筒部
４  開口部
５  上面
６  基台側磁石
７  光透過部
８  上冠部
９  下冠部
９  くさび挿入空間
１０  内側壁（下冠部）
１１  下冠側磁石
１２  飾把持部
１３  飾把持側磁石
１４  内側壁（上冠部）
１５  上冠側磁石
８１  反射板
８２  下フランジ部
８３ａ  反射板側磁石（上冠部側）
８３ｂ  反射板側磁石（下冠部側）
８５  上フランジ部
【図１】
0003200017.tif 000003
【図２】
0003200017.tif 000004
【図３】
0003200017.tif 000005
【図４】
0003200017.tif 000006
【図５】
0003200017.tif 000007
【図６】
0003200017.tif 000008
【図７】
0003200017.tif 000009
【図８】
0003200017.tif 000010
【図９】
0003200017.tif 000011
【図１０】
0003200017.tif 000012
【図１１】
0003200017.tif 000013
【図１２】
0003200017.tif 000014
【図１３】
0003200017.tif 000015
【手続補正書】
【提出日】平成27年7月27日(2015.7.27)
【手続補正１】
【補正対象書類名】実用新案登録請求の範囲
【補正対象項目名】請求項３
【補正方法】変更
【補正の内容】
【請求項３】
前記基台部に対して前記円筒部を上下逆に載置しても所定の行灯を構成するように、前記上冠部の内側壁にも前記下冠側磁石と同様の位置関係で前記上冠側磁石を配設したことを特徴とする請求項２に記載の磁石組立式行灯。
【手続補正２】
【補正対象書類名】実用新案登録請求の範囲
【補正対象項目名】請求項６
【補正方法】変更
【補正の内容】
【請求項６】
前記円筒部の内部には前記円筒部の曲率に近似した断面視略半円弧状の反射板を有し、前記反射板の両端部には前記上冠側磁石と符号する位置に反射板側磁石を配設した上フランジ部、及び前記下冠側磁石と符号する位置に反射板側磁石を配設した下フランジ部の両方を形成したことを特徴とする請求項２乃至４のいずれか１項に記載の磁石組立式行灯。
【手続補正３】
【補正対象書類名】明細書
【補正対象項目名】００１３
【補正方法】変更
【補正の内容】
【００１３】
請求項３に係る考案では、前記基台部に対して前記円筒部を上下逆に載置しても所定の行灯を構成するように、前記上冠部の内側壁にも前記下冠側磁石と同様の位置関係で前記上冠側磁石を配設したことを特徴とする請求項２に記載の磁石組立式行灯を提供せんとする。
【手続補正４】
【補正対象書類名】明細書
【補正対象項目名】００１６
【補正方法】変更
【補正の内容】
【００１６】
請求項６に係る考案では、前記円筒部の内部には前記円筒部の曲率に近似した断面視略半円弧状の反射板を有し、前記反射板の両端部には前記上冠側磁石と符号する位置に反射板側磁石を配設した上フランジ部、及び前記下冠側磁石と符号する位置に反射板側磁石を配設した下フランジ部の両方を形成したことを特徴とする請求項２乃至４のいずれか１項に記載の磁石組立式行灯を提供せんとする。
【手続補正５】
【補正対象書類名】明細書
【補正対象項目名】００２２
【補正方法】変更
【補正の内容】
【００２２】
請求項６記載の考案によれば、円筒部の内部には円筒部の曲率に近似した断面視略半円弧状の反射板を有し、反射板の両端部には前記上冠側磁石と符号する位置に反射板側磁石を配設した上フランジ部、及び前記下冠側磁石と符号する位置に反射板側磁石を配設した下フランジ部の両方を形成したことにより、円筒部の上下冠側磁石に反射板の反射板側磁石を近接して符号させるだけで磁石の吸着力により円筒部内に極めて容易に、しかも強固に反射板を略接続でき、反射板による光の反射作用により円筒部の後方側に発する光を前方側に集中して発することができる。